(57)【要約】      （修正有）【課題】前方の広範囲にわたって携帯端末の音声を拡声させることができる簡易組立構造の携帯端末拡声用載置台を提供する。【解決手段】携帯端末拡声用紙製載置台１は、スマートフォン４０の発音部４１が挿入可能な開口２５が設けられた本体部材２を備え、その左右両側には、スピーカー部材３が接続される。なお、本体部材２及びスピーカー部材３は、互いに脱着可能に接続されており、例えば、スピーカー部材３を重ね合わせた状態でスピーカー部材３の内部に本体部材２を収納し、さらに蓋体を装着して持ち運び可能にしてもよい。【選択図】図３
0003195079.tif 000002
【実用新案登録請求の範囲】
【請求項１】
携帯端末の発音部が挿入された状態で該携帯端末が載置される本体部材と、該本体部材の左右両側に取り付けられた一対のスピーカー部材と、を備えた携帯端末拡声用載置台であって、
該本体部材の左右両端には該スピーカー部材に接続される断面略四角形状の接続凸部が設けられ、さらに、一方の接続凸部から他方の接続凸部まで本体部材を貫くように左右方向に貫通孔が設けられており、
該本体部材の上面には該携帯端末の発音部が挿入可能な開口が設けられ、かつ該開口は該貫通孔に連通しており、
該スピーカー部材は有底円筒形状をなし、底部近傍の側周面には該本体部材の接続凸部が貫通接続される該接続凸部の形状に対応した略四角形状の孔部が設けられており、
該本体部材に該スピーカー部材が接続された状態で、該スピーカー部材の底部とは反対側の開口部が前側に向いて開口しており、
該携帯端末の発音部より音声が発せられた際には、該スピーカー部材の開口部から拡声された音声が発せられる
ことを特徴とする携帯端末拡声用載置台。
【請求項２】
前記スピーカー部材は、側周面が底部から離れるに従って拡径するテーパー形状をなしている
請求項１に記載の携帯端末拡声用載置台。
【請求項３】
前記本体部材及び前記スピーカー部材は紙製である
請求項１又は請求項２に記載の携帯端末拡声用載置台。
【請求項４】
請求項１乃至請求項３のいずれか１項に記載の携帯端末拡声用載置台にあって、
前記本体部材と、前記一対のスピーカー部材とは互いに脱着可能に接続されており、
該本体部材から該一対のスピーカー部材が脱離した状態で、該一対のスピーカー部材が互いに重ね合わせられ、該重ね合わせられたスピーカー部材の内部に、本体部材が収納され、該スピーカー部材の開口部には蓋体が装着されている
ことを特徴とする携帯端末拡声用載置台セット。
【考案の詳細な説明】
【技術分野】
【０００１】
本発明は、携帯端末を載置できる携帯端末拡声用載置台、及び携帯端末拡声用載置台セットに関する。
【背景技術】
【０００２】
従来、携帯電話、スマートフォン、あるいは携帯音楽端末等の携帯端末から発せられる音声を拡声することができる載置台は、例えば特許文献１や特許文献２等に開示されている。
【０００３】
特許文献１に開示されている携帯端末用スタンドは、略ホーン形状の外筒内に内壁を備えた二重壁構造であり、携帯端末を差し込むための差込口と、携帯端末のスピーカー部を内筒内に露出させる露出口とを備えている。
【０００４】
特許文献２に開示されている携帯機器用拡声具は、胴部と底部を有し、該底部と対向する側が開口部である有底筒状に形成され、胴部及び／又は底部に、携帯機器を挿着するための挿入口が形成されている。
【先行技術文献】
【特許文献】
【０００５】
【特許文献１】実用新案登録第３１８７５４９号公報
【特許文献２】実用新案登録第３１８７５５９号公報
【考案の概要】
【考案が解決しようとする課題】
【０００６】
しかしながら、上記特許文献１、及び特許文献２に開示された構成にあっては、拡声された音声が前方の狭い領域にしか行き渡らず、左右方向への拡声効果が期待できなかった。また、特許文献１の携帯端末用スタンドにあっては、前端の開口部上側によって携帯端末の表示画面が隠れて見えなくなってしまうおそれがあった。特許文献２の携帯機器用拡声具にあっては、携帯機器の表示画面が該携帯機器用拡声具内に入ってしまったり、極端な前倒し姿勢とされてしまったりするため、これも同様に表示画面への視界を遮られてしまう問題があった。
【０００７】
また、上記の従来構成は、簡便に組み立てたり、コンパクトに収納したりすることが難しく、さらにデザイン性についても改善の余地があった。
【０００８】
そこで本考案は、広範囲にわたって携帯端末の音声を前方へ拡声させることができる携帯端末拡声用載置台、及び該携帯端末拡声用載置台を簡単に組み立てることができる携帯端末拡声用載置台セットを提供することを目的とする。
【課題を解決するための手段】
【０００９】
本考案は、携帯端末の発音部が挿入された状態で該携帯端末が載置される本体部材と、該本体部材の左右両側に取り付けられた一対のスピーカー部材と、を備えた携帯端末拡声用載置台であって、該本体部材の左右両端には該スピーカー部材に接続される断面略四角形状の接続凸部が設けられ、さらに、一方の接続凸部から他方の接続凸部まで本体部材を貫くように左右方向に貫通孔が設けられており、該本体部材の上面には該携帯端末の発音部が挿入可能な開口が設けられ、かつ該開口は該貫通孔に連通しており、該スピーカー部材は有底円筒形状をなし、底部近傍の側周面には該本体部材の接続凸部が貫通接続される該接続凸部の形状に対応した略四角形状の孔部が設けられており、該本体部材に該スピーカー部材が接続された状態で、該スピーカー部材の底部とは反対側の開口部が前側に向いて開口しており、該携帯端末の発音部より音声が発せられた際には、該スピーカー部材の開口部から拡声された音声が発せられることを特徴とする携帯端末拡声用載置台である。
【００１０】
かかる構成にあっては、スピーカー部材が本体部材の左右両側にそれぞれ設けられるため、左右方向へも広く音声を拡声して行き渡らせることができる。また、該本体部材と各スピーカー部材は、断面略四角形状の接続凸部を介して接続されるため、該本体部材と該スピーカー部材とががたつきにくいという利点がある。さらに、該スピーカー部材は該本体部材の左右両側に配置されているため、該本体部材に載置された携帯端末の表示画面が遮られることなく視認容易となる。
【００１１】
前記スピーカー部材は、側周面が底部から離れるに従って拡径するテーパー形状をなしていることが望ましい。
【００１２】
かかる構成とすることにより、拡声効果が向上する。
【００１３】
また、前記本体部材及び前記スピーカー部材は紙製であることが好ましい。
【００１４】
かかる構成とすることにより、安価であり、ゴミ廃棄の点で望ましい。
【００１５】
また本考案は、前記携帯端末拡声用載置台にあって、前記本体部材と、前記一対のスピーカー部材とは互いに脱着可能に接続されており、該本体部材から該一対のスピーカー部材が脱離した状態で、該一対のスピーカー部材が互いに重ね合わせられ、該重ね合わせられたスピーカー部材の内部に、本体部材が収納され、該スピーカー部材の開口部には蓋体が装着されていることを特徴とする携帯端末拡声用載置台セットである。
【００１６】
かかる構成にあっては、前記携帯端末拡声用載置台をコンパクトにまとめることができ、携行が非常に容易となる。
【考案の効果】
【００１７】
本発明にかかる携帯端末拡声用載置台は、簡素な構造からなり、拡声範囲が拡大する効果がある。
【００１８】
また、本発明にかかる携帯端末拡声用載置台セットは、携行が容易となる効果がある。
【図面の簡単な説明】
【００１９】
【図１】組み立て前の携帯端末拡声用紙製載置台の斜視図である。
【図２】組み立て後の携帯端末拡声用紙製載置台の斜視図である。
【図３】携帯端末を載置した携帯端末拡声用紙製載置台の斜視図である。
【図４】携帯端末拡声用紙製載置台セットの正面図である。
【考案を実施するための形態】
【００２０】
以下に本考案を具体化した実施例を詳細に説明する。なお、本考案は、下記に示す実施例に限定されることはなく、適宜設計変更が可能である。
【００２１】
図１等に示すように、携帯端末拡声用紙製載置台１（以下単に載置台１という）は、厚紙を切折して組み立てられた本体部材２と、該本体部材２の両側に取り付けられる一対の厚紙製のスピーカー部材３，３と、を備えている。
【００２２】
前記本体部材２は、直方体形状の基部２１を備え、該基部２１の両側には断面略四角形状の接続凸部２２，２２が左右方向に沿って突設されている。さらに、一方の接続凸部２２から他方の接続凸部２２まで、該本体部材２の基部２１を貫くように貫通孔２３が左右方向に沿って設けられている。すなわち、該貫通孔２３の両端は該接続凸部２２の先端面において連通口２４とされて外部に開放されている。
【００２３】
また、前記本体部材２の基部２１の上面には開口２５が設けられており、該開口２５は該貫通孔２３に連通している。また、該開口２５の左右両端縁には、抜け止め凸片２６が上方に向かって突設されている。さらに、該開口２５の前縁（図１において手前側の辺）には、ストッパー片２７が該開口２５に向かうように突設されている。また、該開口２５の後縁（図１において奥側の辺）には、背板部２８が上方に向かって突設されている。
【００２４】
さらに、前記基部２１の後側にあっては、後転防止用の支持板部２９が設けられている。該支持板部２９は、該基部２１から延出形成された複数の板片部を組み合わせることで構成されており、例えば該板片部を該基部２１の後面に沿って折り畳んで収納することも可能である。例えば、支持板部２９が、先端部に上下方向の切り込みが形成された２枚の板片部で構成され、互いの切り込みを食い込ませて組み立てる構造であってもよい。
【００２５】
図１等に示すように、各スピーカー部材３は、有底円筒形状をなし、側周面３１が底部３２から離れるに従って拡径するテーパー形状をなしている。そして、該スピーカー部材３の底部３２とは反対側に形成された開口部３３を介して、該スピーカー部材３の内部と外部とが連通している。なお、一対のスピーカー部材３，３は、互いに同一寸法形状である。
【００２６】
また、前記底部３２近傍の側周面３１には、前記本体部材２の接続凸部２２が挿入可能となるように、該接続凸部２２の形状に対応した略四角形状の孔部３４が貫通状に設けられている。
【００２７】
そして、図２に示すように、前記本体部材２の前側と、前記スピーカー部材３の開口部３３とが同じ方向を向くようにして、該本体部材２の接続凸部２２，２２が該スピーカー部材３，３の孔部３４，３４に挿入されて、相互接続される。これにより、前記載置台１の組立が完了する。
【００２８】
なお、かかる組立完了状態にあって、前記抜け止め凸片２６は、前記スピーカー部材３の内側に入り込んで、該スピーカー部材３の側壁と係合するため、該本体部材２と該スピーカー部材３との脱離が防止されている。また、該スピーカー部材３の外周面と前記ストッパー片２７の端縁とが突き当たることにより、該接続凸部２２が該スピーカー部材３内へ過剰に侵入してしまうことが防止されている。なお、接続凸部２２の挿入深さを調整することにより、スマートフォン４０の横幅に応じて、本体部材２とスピーカー部材３，３との相対位置を適宜調整することができる。
【００２９】
このようにして組み立てられた前記載置台１には、図３に示すように携帯端末であるスマートフォン４０が載置される。さらに詳述すると、該スマートフォン４０のスピーカーが配置されている発音部４１が、前記開口２５を介して前記貫通孔２３内に挿入される。そして、該スマートフォン４０の発音部４１から音声が発せられると、前記本体部材２や該貫通孔２３内の空気等に音声振動が伝達され、さらに該音声振動が前記スピーカー部材３へ伝わり、拡声された音声が該スピーカー部材３を介して前方へ発せられる。
【００３０】
前記スマートフォン４０における表示画面４２は、前記一対のスピーカー部材３，３間に配置されるため、該表示画面４２は容易に視認可能となっている。また、一対のスピーカー部材３が該本体部材２の左右両側に配置されているため、該載置台１の前方において左右方向に広く音声が拡声され、視聴者が横に広く並んでも等しく拡声された音声を聞くことができる。
【００３１】
なお、前記載置台１にあっては、前記本体部材２と、前記一対のスピーカー部材３，３とが互いに脱着可能に接続されている。具体的には、前記抜け止め凸片２６を前記開口２５から内部に折り返した状態にすれば、該本体部材２と該スピーカー部材３とは容易に脱離することができる。
【００３２】
このため、例えば図４に示すように、一対のスピーカー部材３，３が互いに重ね合わせられ、該重ね合わせられたスピーカー部材３，３の内部に本体部材２が収納され、さらに該スピーカー部材３の開口部３３に蓋体３５が装着されて携帯端末拡声用紙製載置台セット１０とされてもよい。
【００３３】
かかる構成とすることにより、載置台セット１０はそのまま容易に携行可能であり、持ち運んだ先で組み立てて前記載置台１として利用することができる。
【００３４】
これまでに述べた載置台１の材料は、厚紙に限らず、紙製であればダンボール製等であってもよい。また、載置台１の材料は、プラスチック材料や木材等の自然素材で構成されてもよい。また、例えば載置台１を透明材料で構成することにより、趣向性に富んだ意外性のある意匠が得られる。また、載置台１の各部の寸法形状は、本考案の要旨を妨げない範囲で適宜自由に設定可能である。また、支持板部２９は、スマートフォン４０を載置した状態で載置台１が後転しないような構造であればよく、形状等は特に限定されない。また、前記開口２５に臨む貫通孔２３内に、スマートフォン４０を安定して載置するための固定手段が設けられていてもよい。なお、例えば固定手段としては、貫通孔２３内において開口２５の周縁に設けられ、スマートフォン４０を本体部材２の側壁に押し付ける可撓性の凸片であってもよい。また、本体部材２の側壁に、ケーブル挿通用の孔や溝を配して、載置台１にスマートフォン４０を載置した状態のまま充電や情報伝達が可能となるようにしてもよい。また、載置台セット１０はノベルティーグッズとして使用してもよい。また、載置台セット１０は、円柱形状をした印籠タイプの蓋付き容器を用いてもよい。かかる場合には、該蓋付き容器内に本体部材２やお菓子等をあらかじめ収納しておき、蓋を開けて本体部材２やお菓子等を取り出し、そして、蓋部分を一方のスピーカー部材３とし、容器部分を他方のスピーカー部材３として載置台１を組み立てて使用することができる。このように、印籠タイプの蓋付き容器を使用した場合に、蓋部分の外径と容器部分の外径が同一となるため、左右一対のスピーカー部材３，３として好適に採用可能となる。
【符号の説明】
【００３５】
１          携帯端末拡声用紙製載置台（携帯端末拡声用載置台）
２          本体部材
３          スピーカー部材
１０        携帯端末拡声用紙製載置台セット（携帯端末拡声用載置台セット）
２２        接続凸部
２３        貫通孔
２４        連通口
２５        開口
３１        側周面
３２        底部
３３        開口部
３４        孔部
３５        蓋体
４０        スマートフォン（携帯端末）
４１        発音部
【図１】
0003195079.tif 000003
【図２】
0003195079.tif 000004
【図３】
0003195079.tif 000005
【図４】
0003195079.tif 000006